(57)【特許請求の範囲】
【請求項１】
プロッタ部と、画像記憶部と、ファクシミリ送受信部とを備えた画像通信装置において、
前記画像記憶部に記憶された原稿画像に、当該原稿画像を複数の領域に区分する区分符号、または区分線と当該区分線により区分された領域を特定するための区分符号を付加する手段と、
ファクシミリ受信した文書から、前記ファイル番号および前記区分符号に相当する符号をスキャンニングして取り出すとともに、前記区分符号にコメントが付加されているかを判断する符号スキャンニング手段と、
前記符号スキャンニング手段が、前記ファクシミリ受信した文書から前記ファイル番号および前記区分符号を取り出し、かつ当該区分符号にコメントが付加されているときは、
前記画像記憶部から前記ファイル番号が付された画像を呼び出し、当該画像の前記区分符号により示される領域に、前記コメントまたはコメント符号を重ね合わせたコメント付画像を作成するコメント付画像作成手段と、
前記コメント、前記コメント符号の何れを前記画像の当該区分符号により示される領域に重ね合わせて表示するかを判断する手段と、を備えたことを特徴とする画像通信装置。
【請求項２】
前記区分符号、または前記区分線と前記区分符号とを付加した前記原稿画像をファクシミリ送信したときは、前記区分符号を付加した前記原稿画像、または前記区分線と前記区分符号とを付加した前記原稿画像を、前記プロッタ部によりプリントすることを特徴とする請求項１に記載の画像通信装置。
【請求項３】
前記コメントまたは前記コメント符号を重ね合わせて表示する領域を特定するコメント領域特定手段を備えたことを特徴とする請求項１または２に記載の画像通信装置。
【請求項４】
プロッタ部と、画像記憶部と、ファクシミリ送受信部とを備えた画像通信装置において、
前記画像記憶部に記憶された原稿画像に、当該原稿画像を複数の領域に区分する区分符号、または区分線と当該区分線により区分された領域を特定するための区分符号を付加する手段と、
ファクシミリ受信した文書から、前記ファイル番号および前記区分符号に相当する符号をスキャンニングして取り出すとともに、前記区分符号にコメントが付加されているかを判断する符号スキャンニング手段と、
前記符号スキャンニング手段が、前記ファクシミリ受信した文書から前記ファイル番号および前記区分符号を取り出し、かつ当該区分符号にコメントが付加されているときは、
前記画像記憶部から前記ファイル番号が付された画像を呼び出し、当該画像の前記区分符号により示される領域に、前記コメントまたはコメント符号を重ね合わせたコメント付画像を作成するコメント付画像作成手段と、
前記コメントまたは前記コメント符号を重ね合わせて表示する領域を特定するコメント領域特定手段と、を備えたことを特徴とする画像通信装置。
【請求項５】
原稿の濃度、色合いを判別し調整する手段を有し、当該手段は、前記コメントまたは前記コメント符号を重ね合わせる領域の原稿画像を薄い濃度または薄い色に変換して前記プロッタ部に渡すことを特徴とする請求項１から４の何れか１つに記載の画像通信装置。
【発明の詳細な説明】
【０００１】
【発明の属する技術分野】
本発明は、プロッタ部と、画像記憶部と、ファクシミリ送受信部とを備えた画像通信装置において、作成依頼された図面・イラスト・文書等の書類を、依頼元に送信し、その内容の修正・訂正の指示を、当該書類の修正個所・訂正個所に表示することができる画像通信装置に関する。
【０００２】
【従来の技術】
従来、特開平１０−１１２４３号公報にあるように、画像データをやり取りする端末同士で、他方から受け取った画像データをイメージで自機のディスプレイに表示するとともに、追記、訂正、削除などの作業履歴を保存する方法が知られている。この方法では、修正した内容は、上書きされたデータではなく、修正箇所のみを属性情報、位置情報などとともに原稿の送信元に送り返している。
【０００３】
また、特開２０００-５００５５号公報では、予め決められた様式の原稿用紙に書かれた文書をスキャナで読みこみ、そのイメージデータから手書き箇所を抜き出して、文字認識により清書し、改めてイメージデータを作成してファクシミリ送信する技術が知られている。
【０００４】
一般に、作成された原稿と、それに対する修正は盛んに行われる。学習の現場では、テストであったり添削指導であったりする。業務としては、部下の報告に対する上司の修正依頼であったり、設計者の図面に対する現場での変更依頼であったりする。
これら作成原稿のチェック依頼、チェックした結果生じる変更依頼は、昔から紙文書で行われ、遠隔地同士では郵便等によるやり取りが行われていたが、近年では、ファクシミリ通信を利用して上記の原稿のやり取りが行われる場合が多くなっている
【０００５】
【発明が解決しようとする課題】
上記した修正技術では、図面等の書類の作成依頼者は、図面等の作成者からファクシミリにより送られてきた原稿に手書きにより修正個所を書き加え、ファクシミリにより返送することになる。
【０００６】
この場合、書類の枚数が１，２ページ等の少数であれば、ファクシミリによりやり取りに支障は生じないが、書類が複数ページにわたったり、サイズの大きな原稿であると書類を紙の状態で管理することが煩雑になってしまう。また、修正依頼時に、修正内容が多くなればなるほど、ファクシミリにより返信する際の情報量が増えることになり、その分通信データが増え、通信コストは増加してしまう。
【０００７】
こういった状況により、同一事業所等の局所においてはＬＡＮといったパソコン通信を行い、遠隔地同士ならばインターネット等のＷＡＮを利用したデータ通信が行われるようになってきた。
【０００８】
局所の場合としては、特開平１０−１１２４３号公報記載の技術では、ケーブルまたはＬＡＮなどで接続した端末同士で、書類を文字データでやり取りしている。このような書類の受け渡し方法を採用する場合には、さらに、イメージデータで表示するとともに、追記、訂正、削除などの作業内容も上書きして表示し、属性情報、位置情報などとともに修正内容のみ送信元に送り返すといったシステムを構築する必要がある。
【０００９】
遠隔地の、特にファクシミリ通信を利用した場合には、前述の特開２０００-５００５５号公報に記載の技術では、予め決められた様式の原稿用紙を用い、イメージデータから手書き箇所を抜き出して、文字認識により清書して、改めてイメージデータを作成して送信する考案も考えられているが、高度な文字認識技術が必要であるし、原稿様式自体をいくつも登録しなくてはならない。
【００１０】
また、上記の公報記載の技術を組み合わせれば、修正部分だけファクシミリ送信するなどの技術も考えられる。しかし、この場合には修正部分をイメージで送信すると、より高度な通信をしなくてはならず、データに変換して送信すると、データ通信等ＩＴＵで決められた標準ファクシミリ通信から逸脱してしまい、汎用性がなくなる。
【００１１】
すなわち上記の技術では、狭い技術範囲での手法を用いざるを得ず、必然的にコストアップや特殊端末同士でしか行えない通信となり、限られた用途にしか利用されない技術となってしまう。
【００１２】
本発明は、従来型の汎用画像通信装置に対して、安価で簡易な技術をプラスするだけで、原稿、修正依頼といった作業を行えるようにすることを目的とする。
【００１３】
【課題を解決するための手段】
本願発明は、プロッタ部と、画像記憶部と、ファクシミリ送受信部とを備えた画像通信装置において、前記画像記憶部に記憶された原稿画像に、当該原稿画像を複数の領域に区分する区分符号、または区分線と当該区分線により区分された領域を特定するための区分符号を付加する手段と、ファクシミリ受信した文書から、前記ファイル番号および前記区分符号に相当する符号をスキャンニングして取り出すとともに、前記区分符号にコメントが付加されているかを判断する符号スキャンニング手段と、前記符号スキャンニング手段が、前記ファクシミリ受信した文書から前記ファイル番号および前記区分符号を取り出し、かつ当該区分符号にコメントが付加されているときは、前記画像記憶部から前記ファイル番号が付された画像を呼び出し、当該画像の前記区分符号により示される領域に、前記コメントまたはコメント符号を重ね合わせたコメント付画像を作成するコメント付画像作成手段と、前記コメント、前記コメント符号の何れを前記画像の当該区分符号により示される領域に重ね合わせて表示するかを判断する手段と、を備えたことを特徴とする。
【００１４】
また、本願発明は、プロッタ部と、画像記憶部と、ファクシミリ送受信部とを備えた画像通信装置において、前記画像記憶部に記憶された原稿画像に、当該原稿画像を複数の領域に区分する区分符号、または区分線と当該区分線により区分された領域を特定するための区分符号を付加する手段と、ファクシミリ受信した文書から、前記ファイル番号および前記区分符号に相当する符号をスキャンニングして取り出すとともに、前記区分符号にコメントが付加されているかを判断する符号スキャンニング手段と、前記符号スキャンニング手段が、前記ファクシミリ受信した文書から前記ファイル番号および前記区分符号を取り出し、かつ当該区分符号にコメントが付加されているときは、前記画像記憶部から前記ファイル番号が付された画像を呼び出し、当該画像の前記区分符号により示される領域に、前記コメントまたはコメント符号を重ね合わせたコメント付画像を作成するコメント付画像作成手段と、前記コメントまたは前記コメント符号を重ね合わせて表示する領域を特定するコメント領域特定手段とを備えたことを特徴とする。
【００２４】
【発明の実施の形態】
以下、本発明の実施形態を図面により説明する。図１および図２は、本実施形態にかかる画像通信装置１００の構成を示す説明図である。画像通信装置１００は、スキャナ・プロッタ部１と、通信部２と、電源部３と、ブリッジ４とを含んで構成されている。
【００２５】
スキャナ・プロッタ部１のバスＢ１と、通信部２のバスＢ２とは互いに独立駆動され、これらはブリッジ４を介して接続されている。なお、通信部２の構成は図２において詳述する。
【００２６】
図１において、スキャナ・プロッタ部１は、ＣＰＵ１１、システムメモリ部１２、圧縮・伸張制御部１３、読取り画像記憶部１４、操作パネル部１５、スキャナ部１６、プロッタ部１７、およびＩ／Ｏ部１８を含んで構成されている。
ＣＰＵ１１は、スキャナ・プロッタ部１の全体の制御を行うとともに、画像通信装置１００の統括的な制御をも行う。
【００２７】
システムメモリ部１２は、ＲＯＭ１２１と、バッテリーバックアップされたＲＡＭ１２２と、ワークＲＡＭ１２３とからなる。ＲＯＭ１２１にはスキャナドライバ，プロッタドライバ，後述する判定値γの演算プログラム等の各種プログラム等が格納され、ＲＡＭ１２２には各種設定情報，ユーザ情報等が格納される。
また、ワークＲＡＭ１２３には、たとえばスキャナ部１６からの読取りデータが一時格納され、または圧縮伸張部１３からのプロット用データが一時格納される。
【００２８】
圧縮・伸張制御部１３は、ワークＲＡＭ１２３に一時格納された読取りデータを圧縮して読取り画像記憶部１４に格納することができ、また読取り画像記憶部１４に格納された圧縮画像データを伸張してワークＲＡＭ１２３に一時格納することができる。読取り画像記憶部１４は、本実施形態ではＲＡＭからなる。
【００２９】
操作パネル部１５は、スキャナ・プロッタ部１と通信部２とで共通に使用されるユーザインタフェースであり、操作パネル制御部１５１と、キーボード，ディスプレイを含む操作パネル１５２とからなる。スキャナ部１６はスキャナ制御部１６１とスキャナ１６２とからなる。プロッタ部１７は、プロッタ制御部１７１とプロッタ１７２とからなる。Ｉ／Ｏ部１８は、Ｉ／Ｏ制御部１８１と、用紙，ドアのセンサ、温度センサ、各種モータ等のインタフェースを行う各種Ｉ／Ｏ１８２とからなる。
【００３０】
電源部３は、ＡＣ／ＤＣ変換器を備えており、スキャナ・プロッタ部１および通信部２に、回路駆動用電力、各種機構部品（モータ，ＬＥＤ）、表示装置（ディスプレイやＬＥＤ）に駆動電力を供給することができる。
【００３１】
また、図２に示すように、通信部２は、通信コントローラ２１、システムメモリ部２２、ＦＡＸ画像処理部２３、ＦＡＸ画像記憶部２４、大容量データ記憶部２５、アナログ通信部２６、デジタル通信部２７、ＬＡＮ制御部２８、およびＵＡＲＴ制御部２９を含んでいる。図２には、スキャナ・プロッタ部１およびブリッジ４を併せて示してある。
【００３２】
通信コントローラ２１は、通信部２の全体の制御を行う。システムメモリ部２２は、ＲＯＭ２２１と、バッテリーバックアップされたＲＡＭ２２２と、ワークＲＡＭ２２３とからなる。ＲＯＭ２２１には、通信回路ドライバ、データベース用プログラム等の各種プログラム等が格納される。ＲＡＭ２２２には設定情報、ユーザ情報等が格納される。また、ワークＲＡＭ２２３には、アナログ通信部２６、デジタル通信部２７、ＬＡＮ制御部２８およびＵＡＲＴ制御部２９から受信した画像データ（電子メールを含む）、ＦＡＸ画像処理部２３からのＦＡＸ画像データが一時格納され、あるいは大容量データ記憶部２５に蓄積されている画像データがファクシミリ送信等に際して一時格納される。
【００３３】
ＦＡＸ画像処理部２３は、ワークＲＡＭ２２３に一時格納されたＦＡＸ受信データや、スキャナ１６２により読み取られた画像を所望のフォーマット（ＪＰＥＧ，ＴＩＦ等）に変換してＦＡＸ画像記憶部２４に格納することができる。本実施形態では、後述するように、ＦＡＸ画像処理部２３は、ワークＲＡＭ２２３に一時格納された読取り画像の拡大または縮小（拡縮）を行うことができるし、またＦＡＸ画像記憶部２４に格納された所定フォーマットの画像データを他のフォーマット（ＪＰＥＧ，ＴＩＦ等の送信用フォーマット）に変換することができる。これらの拡縮処理、あるいはフォーマット変換された画像データは、適宜ワークＲＡＭ２２３やＦＡＸ画像記憶部２４に格納（あるいは再格納）することができる。なお、ＦＡＸ画像記憶部２４は、本実施形態ではＲＡＭからなる。
【００３４】
大容量データ記憶部２５には、送受信したファクシミリデータが格納される。
アナログ通信部２６は、Ｇ３ＦＡＸモデム２６１とアナログ回線インタフェース（Ｉ／Ｆ）２６２とからなり、アナログ回線インタフェース（Ｉ／Ｆ）２６２は、公衆アナログ回線網およびアナログ内線網に接続されている。デジタル通信部２７はＩＳＤＮ制御部２７１とデジタル回線インタフェース（Ｉ／Ｆ）２７２とからなり、デジタル回線インタフェース２７２はＩＳＤＮ回線網に接続されている。
【００３５】
ＬＡＮ制御部２８は，ＬＡＮ７００に接続され、ＵＡＲＴ制御部２９はコンピュータに接続されている。
【００３６】
ブリッジ４は、スキャナ・プロッタ部１側のバスＢ１上のデータと、通信部２のバスＢ２上のデータとの相互の受け渡しを行うことができる。すなわち、スキャナ・プロッタ部１側の中央処理装置（ＣＰＵ）１１と、通信部２側の通信コントローラ２１との間でコマンドのやり取りの仲介をしたり、スキャナ・プロッタ部１側のワークＲＡＭ１２３と通信部２側のワークＲＡＭ２２３との間で、ベージごと、ブロックごとまたはラインごとに、画像データのやり取りを行ったりすることができる。
【００３７】
図３は、図１および図２に示した画像通信装置１００とファクシミリ装置２０１とが公衆回線網（アナログ回線網またはデジタル回線網）Ｎ１を介して接続された状態を示している。図３では、画像通信装置１００は、ＬＡＮ７００を介してファイルサーバ３０１に接続されている。ファイルサーバ３０１を用いることで、画像通信装置１００の記憶装置（大容量データ記憶部２５）が大容量でない場合にも本発明が適用できる。
【００３８】
以下に、図１および図２に示した画像通信装置１００における処理例を具体的に示す。
【００３９】
ファクシミリ送信に際しては、ワークＲＡＭ２２３には、大容量データ記憶部２５に蓄積されている画像データがファクシミリ送信等に際して一時格納され、送信画像の領域区分処理がなされる。
【００４０】
実際の修正内容の位置は、厳密に指定する必要はなく、縦横の格子や行といったケースがほとんどである。したがって、領域区分は、図面，グラフ等の図形文書では図４（ａ）に示すように、Ａ４サイズなら、約５ｃｍ四方のマトリクス、たとえば横“Ａ”〜“Ｄ”、縦“１”〜“６”で十分である。また、複数ページにわたる場合には、縦を連続して（たとえば、２ページ目は“７”〜“１２”）ナンバリングしてもよいし、ページ番号も情報としてもよい。この場合には、領域区分情報はページ、縦、横の３つの位置識別情報となる。
【００４１】
また、領域区分は、ワードプロセッサにより作成した文書などの文字文書では、図４（ｂ）に示すように、ページ数と行数の２つの位置識別情報となる。文字文書が選択された場合には、文字領域と空白領域とを区別する処理は、ファクシミリのイメージデータ処理としては単純なものである。ファクシミリでは白地部分をより高圧縮するようなアルゴリズムであるため、ページ頭から副走査方向に、低圧縮、高圧縮の行群が交互になることを判別することは容易である。連続する低圧縮の領域をページ頭からナンバリングすることで行を認識することができる。
【００４２】
画像通信装置１００によりファクシミリ送信を行う場合、上記ような位置情報のフォーマットを操作部１５から選択し、原稿をスキャナ部１６により読み取る。
【００４３】
画像通信装置１００では、ユニークな管理番号（ファイル番号）を決め、ページ先頭にイメージとして付加するとともに、指定されたフォーマット（図４（ａ），（ｂ）に示す位置識別情報）を上書きして、指示された画像通信装置へと送信する。この上書き処理は、ＣＰＵ１１がＲＯＭ１２１内のプログラムを用いてワークＲＡＭ１２３上で行うことができる。この場合、送信画像と同一画像を、送信レポートとして出力させることができる。なお、ページ単位で、上記位置識別情報を上書きするか、しないかを決定することもできる。
【００４４】
画像通信装置１００の操作者と、上記のファクシミリ受信をした者（受信側ファクシミリ装置の操作者等）との間で、修正作法等を取り決めておけば、特別に修正作法についての情報を送信画像情報に添付する必要はない。修正作法等の取り決めが予めなされていないような場合には、当該修正作法を記載したドキュメント（たとえば、ファクシミリ送信ヘッダーページ）を自動的に作成し、送信画像に添付するようにすれば、受信側ファクシミリより分かりやすい機能となる。
【００４５】
受信側ファクシミリ装置２０１（図３参照）側では、自由な用紙に、自由な書き方で、上記管理番号、位置情報とともに、修正依頼内容を記して、これを修正原稿として画像通信装置１００に返送する。たとえば、図４（ａ）に示した画像を受信した場合において、図５（ａ）に示すように「Ａ４：２２０→２２５」といったように簡単なコメントを付することもできるし、図５（ｂ）に示すように「Ｃ２を下記のように訂正してください」との図面付きのコメントを付することもできる。
【００４６】
画像通信装置１００の操作者は、修正原稿を受け取ると、送信原稿と見比べることにより、修正依頼内容を簡単に判読することができる。
【００４７】
受信側ファクシミリ装置から送られた修正原稿の修正コメントを切り出して、これを原稿画像に貼り付けることもできる。図６に示す修正原稿では、上述で位置識別情報は単純な、数字やアルファベットを用いている。管理番号も４桁程度の数字列であるのは、画像通信装置では一般的である。アルファベットは横方向であるが、スキャナとしては横方向はある程度の範囲、たとえばＡ３サイズ横など以内であるため、５ｃｍ四方の場合“Ａ”〜“Ｇ”程度となる。
【００４８】
そこで、符号としては“０”〜“９”、“Ａ”〜“Ｇ”の１６符号程度になり、これらを識別するイメージフィルタ（スキャンニング手段）は簡単なハードウェアで実現できるし、汎用的なＣＰＵでもソフトウェアで、イメージ展開したメモリからスキャニングして識別することは容易であり、高度な文字認識技術は必要ない。
【００４９】
図７（ａ），（ｂ）、図８（ａ），（ｂ）、図９（ａ），（ｂ）に、画像通信装置１００における処理例を示す。
【００５０】
まず、画像通信装置１００は、修正内容を記したファクシミリ画像を受信すると、ｆａｘ画像記憶部２４にイメージ展開する。イメージ先頭から、図７（ａ），（ｂ）に示すように、隣接する黒ドットを一塊と認識する画像フィルタを通し、切り出した文字等のキャラクタごとに、上述１６符号のいずれかを判別していく。ここでは、図７（ａ）に示すように、手書きの返信を考慮して、処理速度を上げるために、３×３ドット（１ブロック）ごとに処理し、図７（ｂ）に示すように隣接する黒領域を順次長方形に切り出していく。
【００５１】
次に、得られた長方形ごと、符号認識フィルタを通し、得られた符号を検出して、メモリ等に記憶していく。
【００５２】
ここでの例だと１６の符号以外は、たとえば“＃”とする。これにより、図８（ａ）に示すようにイメージが認識される。そして、図８（ｂ）のように、上記黒領域の長方形同士の、白ドットの間隔を判別すると、修正依頼内容を、長方形の群として切り出す。具体的には長方形を画像処理判別で得られると、順番に番号を付け、その属性として、上下左右の白ドット間隔をパラメータとして持たせる。このパラメータは比較的小さい値に集中するものと、比較的大きくいろいろな値を取るものとに分かれ、前者をパラメータとしてもつ長方形が一連の文章として認識できる。前者のパラメータが上下なのか左右なのかで縦書き横書きを最初に判別してから上下または左右に着目して検出すれば処理としては簡単になる。
【００５３】
手書きの場合、位置情報（上記ならページ、縦、横が単独になったり一連になったりする場合もある）と修正内容とは一塊になることになり、得られた位置情報をパラメータに持つ、修正内容がいくつか判別できる。ここで、フォーマット用紙を使うまで拘束はしなくても、ファイル番号には、たとえば“Ｎｏ”（Ｎｕｍｂｅｒ）を付してもよいし、位置情報には、“（  ）”を付してもよい。括弧のような特殊文字や下線などを、予め選択し登録できるようにしておけば、位置情報の取得はより精度を上げることができる。また、符号の組合せは限られる（２桁の数字とアルファベットの組合せ）に限られるので、識別符号とそうでない符号列（たとえば、“２２０”、“２５０”、“１”等）とを峻別することは容易である。
【００５４】
画像通信装置１００では、送信ファイルを大容量メモリに、ファイル番号と関連付けて記憶しておく。上記で得られたファイル番号、位置情報、関連付けられた修正内容を元に、送信画像に修正内容を上書きし、プリントアウト（あるいは、ディスプレイに表示）する。
【００５５】
ファイル番号、位置識別情報の両方が判別された受信については、修正依頼があった原稿として、所定の時刻が来るまでプリント出力しないようにできる。これにより、同一ファイル番号の修正依頼については、納期時期が近づいた日時に一括してプリントされるので、修正依頼の管理が容易となる。
【００５６】
ファイル番号、位置識別情報の両方とも判別できない受信については、即時に、あるいは通常機能で設定された時刻にプリントアウトする。これにより、修正依頼でない受信に対する処理であり、修正依頼のない、つまり承認の結果報告である場合の処理も意味している。
【００５７】
上記の実施形態によれば、上述したように、“０”〜“９”と“Ａ”〜“Ｇ”の組み合わせからなる２つの符号の組合せの位置識別情報に関連付けられた修正内容が判別できる。
【００５８】
本発明では、同様にして原稿についても黒領域と白領域の判別を行い、白領域にコメントを貼り付けることができる。ここで、修正依頼内容の記述である、黒領域の長方形サイズに対して、予め決められた割合、たとえば２０％を算出し、スレッシュαとする。原稿の黒領域判定のときには、検出のマトリックスを１ドットづつとして、スレッシュα以下を白領域と判定する。こうすることで原稿の描画と重なることによって修正内容が見づらくなるのを防ぎ、上書きする領域をより大きく確保できるようにする。
【００５９】
上記検出は、図４（ａ）の図面，グラフ等の図形文書では、ブロックをまたがった判別もしてよいし、図４（ｂ）に示す文字文書では、行の途中を検出してもよい。簡単な例としては、ブロックごと、行ごとに判別するものとする。
【００６０】
次に、図８（ｂ）のような修正依頼内容のブロックを、原稿のイメージデータの、位置識別情報で示された白領域にイメージデータとして上書きする。このとき、白領域に修正依頼内容が入るようサイズを縮小することができる。縮小のサイズで、上記スレッシュαをブロックごと求めてもよい。また、ブロックをまたがった白領域を検出した場合には、過度の縮小を避けることができる．図４（ａ）の場合には、単純に縦横同比率で縮小する。図４（ｂ）の場合、たとえば位置識別情報が６行目の場合、７，８行目に修正内容を記述することもできる。あた、図８（ｂ）に示した修正依頼内容を１文と考え、３行でなく、１行に並べ直してから余白に入るよう縮小表示することもできる。
【００６１】
図９（ａ）にコメントを重ねて表示した原稿を示し、（ｂ）にコメントを重ねて表示した区分線・区分符号付きの原稿を示す。
【００６２】
修正依頼内容を、原稿画像に貼り付けるときの色合いを変えることもできる。
まず、原稿のイメージデータから、プリントアウト用のイメージデータを作成する。このとき、プロッタの特性を考慮し、濃度調整して薄くプリントアウトしてもよいが、簡単な例としては、描画の端部を削る方法を採用することもできる。
単純に、白ドットと黒ドットの境界において、黒ドットを２ドット白にすることもできる。このとき、画質が落ちても原稿は、参考として使用されるものなので、問題ない。
【００６３】
作成したイメージデータについて、上述したスレッシュαに基いた白領域判定を行い、上書きを行う。画像通信装置１００がカラースキャナ、プロッタを有している場合、相手のファクシミリ装置は汎用的なものを考慮しているため、白黒の修正依頼のファクシミリを受け取ることとなる。
【００６４】
原稿がカラーの場合には、カラーの色データを薄い色に変換してプリントアウトすることができる。１つの原稿に対するいくつかの修正依頼を管理し、適宜の時期に修正を行うことができる。
【００６５】
前述したように、たとえば、ユーザは操作部から修正依頼の納期指定を行えるようにする。そして、上述した上書きの処理は、この納期が来るまで行わず、送信ファイルと関連付けて、複数の受信について納期まで記憶しておく。
【００６６】
納期が来るとそれまでに、同じファイル番号に対して蓄積していた修正依頼のイメージを上述の処理で判別する。このとき、同じ位置識別情報を持つ、修正依頼内容のブロックは、時系列順に上から下へと結合させる。複数の宛先に同一原稿を配信したときなど効果的である。
【００６７】
受信したイメージデータの黒領域をファイルごと比較し、同一と判断されるものは削除することが好ましい。これにより、同一のものが複数回受信した場合に無駄な処理を無くすことができる。
【００６８】
さらに、修正依頼を繰り返す場合履歴を処理することもできる。ユーザは操作部１５から、２度目の送信の旨を入力する。画像通信装置１００は、送信ファイルに時系列にファイル番号を付けていく。このファイル番号は、通信管理のために用いられる。
【００６９】
画像通信装置１００は操作部１５からファイル番号の入力を促す表示を行い、入力された番号と次の送信のファイル番号とを関連付けて記憶しておくことができる。なお、特殊なファイル番号を取得し、たとえば上述の例に追加して５桁とし、下一桁を最初は“０”２度目は“１”としたり、“Ａ”としたりしてもよい。
【００７０】
上記の例では、修正依頼または修正依頼を上書きしたプリントアウト後、そのイメージデータを破棄することもできるが、最初の送信と関連付けて保存しておくこともできる。ユーザが操作部１５より、初めのファイル番号とともに、通信管理履歴作成の処理が選択できるよう画面表示する。選択されると考案装置は関連付けられた送受信について、予め決められたフォーマットの通信管理履歴レポートを作成する。一般的なファクシミリで採用されている縮小画を添付したレポートでもよい。
【００７１】
その後、プリントアウトするか、しないかの選択画面、プリントアウト後には全てのファイルを破棄するかどうかの選択画面を表示し、選択された動作を行うようにもできる。
【００７２】
さらに、初めの原稿のイメージデータと、そのファイル番号に関連付けられた受信ファイル、修正依頼を上書きした（貼り付けた）ファイル及び修正した原稿ファイルとその修正依頼等々が記憶されている。記憶されたデータはテンポラリのときを除いて、たとえばファクシミリのＭＭＲ圧縮されている。
【００７３】
簡単な例としては、これらファイルを連続したページとしてＭＭＲ圧縮しなおしてもよいし、すべてファイルをＬＨＡなどのファイル圧縮プログラムにより圧縮してもよい。圧縮されたファイルは接続するクライアントＰＣのＯＳにより判別できるようにし、移動、コピー、削除のファイル操作ができるものとする。
【００７４】
【発明の効果】
以上説明したように本発明によれば、コメントあるいはコメント符号の何れかを画像の当該区分符号により示される部位に重ね合わせて表示するかを判断する手段を設けるようにしたので、例えばコメントが短いときは直接コメントを原稿に重ねて表示することができ、また、コメントが長いときはコメント符号を原稿に重ねて表示することにより、原稿とコメントが重なり見づらくなる部分をなくして、原稿画像を不明瞭にすることなく、コメントをより分かりやすく表示することが出来るようになる。
【００７５】
また、本発明によれば、コメントまたはコメント符号を重ね合わせて表示する領域を特定するコメント領域特定手段を設けるようにしたので、原稿画像のうち、線図がないあるいは線図が少ない部分にコメントまたはコメント符号を重ね合わせて表示することができ、原稿画像及びコメントまたはコメント符号を明瞭に表示することが出来るようになる。
【図面の簡単な説明】
【図１】本発明の画像通信装置の実施形態を示す部分ブロック図である。
【図２】本発明の画像通信装置の実施形態を示す残りの部分ブロック図である。
【図３】図１および図２に示した画像通信装置とファクシミリ装置とが公衆回線網を介して接続された状態を示す図である。
【図４】本発明の実施形態で使用される、ファクシミリ装置に送信する原稿を示す図であり、（ａ）は図形文書の例を示す図、（ｂ）は文字文書の例を示す図である。
【図５】本発明の実施形態で使用される、ファクシミリ装置から返信される訂正指示を示す例であり、（ａ）は文字によるコメントを示す図、（ｂ）は図形によるコメントを示す図である。
【図６】原稿にコメントを重ねて表示する場合に、画像通信装置からファクシミリ装置に送信する原稿を示す図である。
【図７】ファクシミリ装置から返信された文書を処理する様子を示す図であり、（ａ）３×３ドット（１ブロック）ごとに処理する様子を示す図、（ｂ）は隣接する黒領域を順次長方形に切り出す様子を示す図である。
【図８】（ａ）は１６符号以外の文字を“＃”として、ファクシミリ装置から返信された文書のイメージ認識結果を示す図、（ｂ）は文字を長方形に群分けした様子を示す図である。
【図９】（ａ）はコメントを重ねて表示した原稿を示す図、（ｂ）はコメントを重ねて表示した区分線・区分符号付きの原稿を示す図である。
【符号の説明】
１  スキャナ・プロッタ部
２  通信部
３  電源部
４  ブリッジ
１１  ＣＰＵ
１２  システムメモリ部
１３  圧縮・伸張制御部
１４  読取り画像記憶部
１５  操作パネル部
１６  スキャナ部
１７  プロッタ部
１８  Ｉ／Ｏ部
２１  通信コントローラ
２２  システムメモリ部
２３  ＦＡＸ画像処理部
２４  ＦＡＸ画像記憶部
２５  大容量データ記憶部
２６  アナログ通信部
２７  デジタル通信部
２８  ＬＡＮ制御部
２９  ＵＡＲＴ制御部
１００  画像配信装置
１２１  ＲＯＭ
１２２  ＲＡＭ
１２３  ワークＲＡＭ
１２１  ＲＯＭ
１２２  ＲＡＭ
１５１  操作パネル制御部
１５２  操作パネル
１６１  スキャナ制御部
１６２  スキャナ
１７１  プロッタ制御部
１７２  プロッタ
１８１  Ｉ／Ｏ制御部
１８２  各種Ｉ／Ｏ
２０１  ファクシミリ装置
３０１  ファイルサーバ
Ｂ１，Ｂ２  バス
Ｎ１  公衆回線網
【図１】
0003944775.tif 000002
【図２】
0003944775.tif 000003
【図３】
0003944775.tif 000004
【図４】
0003944775.tif 000005
【図５】
0003944775.tif 000006
【図６】
0003944775.tif 000007
【図７】
0003944775.tif 000008
【図８】
0003944775.tif 000009
【図９】
0003944775.tif 000010